(57)【特許請求の範囲】
【請求項１】
左右一対の耳掛け部に支持され、使用者の口を覆うマスク本体の前記使用者の口側に取り付けられるマスク用補助具であって、
前記マスク本体の前記使用者の口側に配置され、前記マスク本体の左右方向に沿って延びるガード体と、前記ガード体の左右方向両側部に取り付けられるクリップとを有し、
前記ガード体は、前記マスク本体の左右方向に沿って延びる第一ガード部および第二ガード部と、前記第一ガード部および第二ガード部をその左右方向内側部分を重ね合わせた状態でスライド可能に保持する保持部とを有し、
前記クリップが前記第一ガード部および第二ガード部の左右方向外側部に取り付けられており、前記保持部が前記第一ガード部と第二ガード部との間に摺動抵抗を付与するものであるマスク用補助具。
【請求項２】
前記保持部は、前記第一ガード部および第二ガード部の左右方向内側部分が内部に配置されている第一環状部と第二環状部とから構成されており、
前記第一環状部が前記第一ガード部の左右方向内端部に固定され、前記第一環状部は、前記第二ガード部を前記第一ガード部に押し付ける状態で、前記第二ガード部をスライド可能に保持しているものであり、
前記第二環状部が前記第二ガード部の左右方向内端部に固定され、前記第二環状部は、前記第一ガード部を前記第二ガード部に押し付ける状態で、前記第一ガード部をスライド可能に保持しているものである請求項１に記載のマスク用補助具。
【請求項３】
前記クリップが、環状の反転ばね部と前記反転ばね部の内周縁の左右方向外側部分から左右方向内向きに延びる受け片部とを有し、
前記受け片部が前記第一ガード部および前記第二ガード部の左右方向外端部に取り付けられており、
前記反転ばね部は、左右方向に前記使用者の頬に沿って湾曲する閉状態と、左右方向に前記使用者の頬に向かって突き出すように湾曲する開状態とを採るものであり、前記閉状態の前記反転ばね部の左右方向内側部分が、前記受け片部の左右方向内側部分に押し付ける状態となり、
前記開状態の前記反転ばね部の左右方向内側部分が、前記受け片部の左右方向内側部分から離間する状態となる請求項２に記載のマスク用補助具。
【請求項４】
前記第一ガード部の左右方向外端部が、前記第一ガード部に対して直交する方向に設けられた第一規制部を有し、前記第二ガード部の左右方向外端部が、前記第二ガード部に対して直交する方向に設けられた第二規制部を有し、
前記第一ガード部および第二ガード部の左右方向外端部が、前記受け片部の前側に位置し、前記第一規制部および第二規制部が前記受け片部の前側から前記反転ばね部の後側へ延び出す状態となっている請求項３に記載のマスク用補助具。
【発明の詳細な説明】
【技術分野】
【０００１】
この発明は、マスク本体内に取り付けられ、マスク本体と使用者の口元との間隔を広げるためのマスク用補助具に関する。
【背景技術】
【０００２】
従来、使用者がくしゃみや咳などをしたときの飛沫の飛散やウィルスの感染防止用、あるいは、屋外での埃や花粉、冬場の乾燥した冷気などの吸い込み防止に、マスクが使用されている。このマスクは、マスク本体の左右両端部に設けられた耳掛け部を使用者の耳にかけることによって、この使用者の口と鼻を覆う状態で装着される。この装着時に、使用者の口とマスクの内面が接触すると、マスクを付けた状態での会話に支障が出たり、使用者が息苦しさを感じたりする原因となる問題が生じる。
【０００３】
この問題を解決するために、例えば、特許文献１に記載されるマスク用補助具が提案されている。このマスク用補助具は、長円支持板と長円支持板の両端部から中央寄りの二箇所に取り付けられた仮止め具とを有するものである。長円支持板はポリプロピレンの薄板から形成されたものである。仮止め具は、面ファスナのループを有する面部とフックを有する面部のうち、フックを有する面部から構成されている。
【０００４】
このマスク用補助具は、不織布からなるマスク本体に左右方向に延びる複数のプリーツを有するマスクに使用される。長円支持板がマスク本体の内面側の上下方向中央付近に配置されている。長円支持板はその両端部がプリーツの左右方向両端部にそれぞれ差し込まれた状態で保持される。この保持状態で、仮止め具はマスク本体の不織布を構成する繊維に引っ掛かり、マスク用補助具がマスク本体に対して保持されている。
【０００５】
マスク本体に保持されるマスク用補助具は、長円支持板をマスク本体とともに湾曲させることにより、マスク本体が長円支持板により口元から離れる方向に膨らみ、使用者の口元にマスク本体が貼り付くのを防止することができる。
【先行技術文献】
【特許文献】
【０００６】
【特許文献１】特開２００３−９３５２８号公報
【発明の概要】
【発明が解決しようとする課題】
【０００７】
ところで、一般に、マスクは、例えば、大人用または子供用など、マスク本体の大きさを変更した様々なサイズが展開されている。しかしながら、特許文献１に記載されたマスク用補助具は、展開されるサイズのマスク本体の左右方向の長さに対応して、長円支持板の長さを調整することができない。
【０００８】
また、特許文献１に記載されたマスク用補助具は、マスク本体のプリーツが大きく開かれた状態で使用すると長円支持板が安定せず、その長円支持板をマスク本体に確実に保持させることができない。
【０００９】
そこで、この発明の課題は、マスク本体の左右方向の長さに応じて調整することができるとともに、マスク本体に対して確実に取り付けることができるマスク用補助具を提供することにある。
【課題を解決するための手段】
【００１０】
上記の課題を解決するため、この発明に係るマスク用補助具は、
左右一対の耳掛け部に支持され、使用者の口を覆うマスク本体の前記使用者の口側に取り付けられるマスク用補助具であって、前記マスク本体の前記使用者の口側に配置され、前記マスク本体の左右方向に沿って延びるガード体と、前記ガード体の左右方向両側部に取り付けられるクリップとを有し、前記ガード体は、前記マスク本体の左右方向に沿って延びる第一ガード部および第二ガード部と、前記第一ガード部および第二ガード部をその左右方向内側部分を重ね合わせた状態でスライド可能に保持する保持部とを有し、前記クリップが前記第一ガード部および第二ガード部の左右方向外側部に取り付けられており、前記保持部が前記第一ガード部と第二ガード部との間に摺動抵抗を付与するものである構成を採用することができる。
【００１１】
ここで、「左」および「右」とは、このマスク用補助具の使用者の「左」および「右」を意味する。また、このマスク用補助具の使用者の顔面に対して、マスク本体へ向かう方向を「前」とし、マスク本体に対して、このマスク用補助具の使用者の顔面へ向かう方向を「後」とする。さらに、「内面」とは、このマスク用補助具の使用者の顔面側の面を意味し、「外面」とは、このマスク用補助具の使用者の顔面側の面と反対側の面を意味する。
【００１２】
この構成のガード体をマスク本体の内面側に配置し、クリップをマスク本体の左右方向両側の外端部に固定する。その後、マスク本体を椀状に膨らませて、ガード体をマスク本体に沿う状態に、第一ガード部と第二ガード部をそれぞれ左右方向外向きにスライドさせる。このとき、保持部により、第一ガード部と第二ガード部との間に摺動抵抗が付与されている。この摺動抵抗に抗して、第一ガード部と第二ガード部とを左右方向外向きまたは内向きにスライドさせる必要がある。
【００１３】
前記保持部は、前記第一ガード部および第二ガード部の左右方向内側部分が内部に配置されている第一環状部と第二環状部とから構成されており、前記第一環状部が前記第一ガード部の左右方向内端部に固定され、前記第一環状部は、前記第二ガード部を前記第一ガード部に押し付ける状態で、前記第二ガード部をスライド可能に保持しているものであり、前記第二環状部が前記第二ガード部の左右方向内端部に固定され、前記第二環状部は、前記第一ガード部を前記第二ガード部に押し付ける状態で、前記第一ガード部をスライド可能に保持しているものである構成を採用することができる。
【００１４】
この構成では、第一ガード部と第二ガード部は、それぞれ左右方向外向きにスライドしたとき、第一環状部と第二環状部とが突き当たる状態となる。このため、第一ガード部と第二ガード部とが分離しない。
【００１５】
前記クリップが、環状の反転ばね部と前記反転ばね部の内周縁の左右方向外側部分から左右方向内向きに延びる受け片部とを有し、前記受け片部が前記第一ガード部および前記第二ガード部の左右方向外端部に取り付けられており、前記反転ばね部は、左右方向に前記使用者の頬に沿って湾曲する閉状態と、左右方向に前記使用者の頬に向かって突き出すように湾曲する開状態とを採るものであり、前記閉状態の前記反転ばね部の左右方向内側部分が、前記受け片部の左右方向内側部分に押し付ける状態となり、前記開状態の前記反転ばね部の左右方向内側部分が、前記受け片部の左右方向内側部分から離間する状態となる構成を採用することができる。
【００１６】
この構成によると、開状態の反転ばね部と受け片部との間に形成されるすき間に、マスク本体の左右方向外側縁部が差し込まれる。そして、反転ばね部を開状態から閉状態に反転させることにより、反転ばね部の左右方向内側部分がマスク本体の左右方向外側縁部を受け片部の左右方向内側部分に押し付ける。
【００１７】
前記第一ガード部の左右方向外端部が、前記第一ガード部に対して直交する方向に設けられた第一規制部を有し、前記第二ガード部の左右方向外端部が、前記第二ガード部に対して直交する方向に設けられた第二規制部を有し、前記第一ガード部および第二ガード部の左右方向外端部が、前記受け片部の前側に位置し、前記第一規制部および第二規制部が前記受け片部の前側から前記反転ばね部の後側へ延び出す状態となっている構成を採用することができる。
【００１８】
この構成では、前記反転ばね部が開状態にあるとき、第一規制部によって、第一ガード部の左右方向外端部に対して、クリップの揺動が規制される。また、第二規制部によって、第二ガード部の左右方向外端部に対して、クリップの揺動が規制される。
【発明の効果】
【００１９】
この発明に係るマスク用補助具は、マスク本体の左右方向の長さに応じて、ガード体の第一ガード部及び第二ガード部の重なり合う部分の長さを調整することができる。また、保持部によって、ガード体の第一ガード部及び第二ガード部の重なり合う部分の長さを維持することができるので、マスク本体をガード体で受けている状態を維持することができる。このため、使用者の吸気によって、マスク本体が凹んで使用者の口元にマスク本体が貼り付くことを防止することができる。さらに、クリップをマスク本体の左右方向外縁部に固定することにより、ガード体の位置を安定させて、ガード体を確実にマスク本体の後側の表面に位置させることができる。また、この発明に係るマスク用補助具は、使用後に消毒液などを含ませた布帛等で各部品を拭き取り、再度、使用することができる。
【図面の簡単な説明】
【００２０】
【図１】（ａ）この発明の実施形態に係るマスク用補助具を示す正面図、（ｂ）同上のマスク用補助具を示す背面図
【図２】同上のマスク用補助具のクリップを示す背面図
【図３】図２中のＡ−Ａ線における断面図
【図４】同上のマスク用補助具のクリップの開状態を示す断面図
【図５】同上のマスク用補助具のクリップの一部切り欠き分解平面図
【図６】（ａ）同上の第一ガード部と第二ガード部との重ね合わせ部分を示す斜視図、（ｂ）同上の第一ガード部と第二ガード部との重ね合わせ部分の長さを調整した状態を示す斜視図
【図７】（ａ）同上のマスク用補助具のマスク本体への固定状態を示す正面図、（ｂ）同上のマスク用補助具の左右方向の長さが小さいマスク本体への固定状態を示す正面図
【図８】同上のマスク用補助具のマスク本体の内面側への固定状態を示す斜視図
【図９】同上のマスク用補助具の使用状態を示す斜視図
【図１０】同上のマスク用補助具の使用状態を示す一部切り欠き側面図
【図１１】同上のマスク用補助具の使用状態を示す一部切り欠き平面図
【図１２】同上のマスク用補助具の他の形態のマスク本体への固定状態を示す正面図
【発明を実施するための形態】
【００２１】
以下、この発明の実施形態を図面に基づいて説明する。この発明の実施形態に係るマスク用補助具１を図１〜５に示す。マスク用補助具１は、例えば、図７に示すようなマスク３０に使用される。マスク３０は、使用者の口元を覆うマスク本体３１と、マスク本体３１の左右方向両側端部に取り付けられる左右一対の耳掛け部３２とを有する。
【００２２】
マスク本体３１は、マスク３０の未使用状態において、正面視で横長の長方形状をなしている。マスク本体３１は、埃や花粉などの微粒子やウィルスの通過を阻止するフィルタ機能を有する不織布から構成され、左右方向に延びる複数のプリーツ３３を有している。マスク本体３１の上端部内には、そのマスク本体３１の幅方向に沿って、ノーズワイヤ３４が設けられている。マスク３０の使用時、ノーズワイヤ３４を使用者の鼻に押し当てて、その鼻の形状に合うように変形させる。これにより、マスク３０が使用者の顔面からずり落ちるのを防止している。
【００２３】
また、左右一対の耳掛け部３２は、使用者の耳に掛けるゴム製の紐状部材である。耳掛け部３２の両端部が、マスク本体３１の右側端部および左側端部の上部と下部のそれぞれ
に連結されている。
【００２４】
このようなマスク３０に使用されるマスク用補助具１は、図７に示すように、マスク本体３１の左右方向に沿って延びるガード体２と、ガード体２の左右方向両端部に取り付けられたクリップ３とを有する。
【００２５】
図１（ａ）、（ｂ）に示すように、ガード体２は、同じ幅寸法を有する第一ガード部４および第二ガード部５を有する。図６に示すように、第一ガード部４および第二ガード部５は、柔軟な帯状部材から形成されており、内部に芯金６が設けられている。芯金６は、針金であって、第一ガード部４および第二ガード部５の幅方向中央に全長に配置されている。第一ガード部４および第二ガード部５は、芯金６により保型性を有するものとなっている。
【００２６】
図５に示すように、第一ガード部４は、左右方向外端部に固定される第一規制片部４ａと、第一規制片部４ａよりも左右方向内寄りに設けられる取り付け孔４ｂとを有する。第一規制片部４ａは、第一ガード部４と同じ素材から形成され、内部に芯金６が設けられている（図２参照）。第一規制片部４ａは、第一ガード部４の長さ方向に対して直交する方向に配置されている。第一ガード部４の左右方向外端部にクリップ３が取り付けられている。
【００２７】
クリップ３は、ばね弾性を有する金属板から形成されている。クリップ３は、環状の反転ばね部７と、反転ばね部７の左右方向の外側部分７ａの内周縁から左右方向内向きに延びる受け片部８とを有する。
【００２８】
反転ばね部７は、その湾曲する向きによって、その左右方向の内側部分７ｂの付勢方向が反転する反転ばねとなっている。すなわち、反転ばね部７は、図３に示すように、平面視において、反転ばね部７が受け片部８から離れる向き（前向き）に湾曲する状態（閉状態）で、反転ばね部７の内側部分７ｂを受け片部８に押し付ける向きに付勢するものである。また、反転ばね部７は、図４に示すように、平面視において、反転ばね部７が受け片部８へ向かう向き（後向き）に湾曲する状態（開状態）で、反転ばね部７の内側部分７ｂを受け片部８から離れる向きに付勢するものである。
【００２９】
受け片部８は、その長さ方向（左右方向）に沿って設けられる長孔状の取り付け孔８ａと、長さ方向途中位置に形成されている湾曲部８ｂとを有する。図４に示すように、取り付け孔８ａと第一ガード部４の取り付け孔４ｂとにピン体９が挿通され、そのピン体９に受け具１０が嵌め合わされている。この嵌め合わせにより、第一ガード部４に受け片部８が回転可能に連結されて、第一ガード部４にクリップ３が取り付けられる。受け片部８の湾曲部８ｂは前向きに湾曲しており、湾曲部８ｂにより受け片部８に対して前後方向への弾性が付与されている。
【００３０】
図２に示すように、反転ばね部７と受け片部８との間には、第一ガード部４の第一規制片部４ａが設けられている。第一規制片部４ａは、受け片部８の前側に位置する第一ガード部４から反転ばね部７に向かって、反転ばね部７の後側の両方向へ延び出す状態となっている。第一規制片部４ａにより、第一ガード部４の左右方向外端部に対して、クリップ３の揺動が規制される。このため、反転ばね部７が開状態にあるとき、反転ばね部７の内側部分７ｂと受け片部８との間にマスク本体３１を差し込むことが可能となる。
【００３１】
図２〜５に示すように、第二ガード部５は、左右方向外端部に固定される第二規制片部５ａと、第二規制片部５ａよりも左右方向内寄りに設けられる取り付け孔５ｂとを有する。第二ガード部５は、第一ガード部４と同じ素材から形成され、内部に芯金６が設けられている。第二ガード部５においては、クリップ３に対する取り付け構造が第一ガード部４と同じ構造となっているため、その説明を省略する。
【００３２】
図６（ａ）、（ｂ）に示すように、ガード体２は、第一ガード部４および第二ガード部５の左右方向内側部分を重ね合わせた状態で、保持部１１によりスライド可能に保持されている。保持部１１は、第一ガード部４および第二ガード部５の左右方向内側部分が内部に配置されている第一環状部１１ａと第二環状部１１ｂとから構成されている。
【００３３】
第一環状部１１ａが第一ガード部４の左右方向内端部に固定されている。第一環状部１１ａは、第二ガード部５を第一ガード部４に押し付ける状態で、第二ガード部５をスライド可能に保持しているものである。第二環状部１１ｂが第二ガード部５の左右方向内端部に固定されている。第二環状部１１ｂは、第一ガード部４を第二ガード部５に押し付ける状態で、第一ガード部４をスライド可能に保持しているものである。第一環状部１１ａおよび第二環状部１１ｂは、第一ガード部４と第二ガード部５との間に摺動抵抗を付与するものである。
【００３４】
この発明の実施形態に係るマスク用補助具１は、以上のように構成される。この実施形態のマスク用補助具１は、図７（ａ）に示すように、マスク３０のマスク本体３１の内面側に取り付けられる。
【００３５】
次に、マスク用補助具１のマスク本体３１への取り付けを説明する。まず、左右一対のクリップ３の反転ばね部７を受け片部８に向かって湾曲するように変形させて、反転ばね部７を開状態とする。続いて、マスク本体３１に沿う状態であって、マスク本体３１の左右方向の長さに合わせて、ガード体２の長さを調整する。ガード体２の長さ調整は、第一ガード部４および第二ガード部５を左右方向外向き、または内向きにスライドさせることにより行うことができる。
【００３６】
ガード体２の長さの調整後、マスク用補助具１をマスク本体３１の内面側の上下方向中央付近に位置させる。そして、左右一対のクリップ３の開状態の反転ばね部７と受け片部８との間にマスク本体３１の左右方向両縁部に差し込む。その後、クリップ３の反転ばね部７を受け片部８に向かって湾曲するように変形させて、反転ばね部７を閉状態とする。この閉状態の反転ばね部７がマスク本体３１の左右方向両縁部を受け片部８に押し付けて、反転ばね部７と受け片部８との間にマスク本体３１の左右方向両縁部が挟まれた状態となる。これにより、マスク本体３１の左右方向両縁部にクリップ３が着脱可能に取り付けられる。
【００３７】
最後に、マスク本体３１の上下方向両縁部をそれぞれ上下方向に移動させて、複数のプリーツ３３を広げる。このようにして、図８に示すように、マスク用補助具１が左右一対のクリップ３によって、マスク３０に取り付けられる。
【００３８】
図９に示すように、使用者は、マスク用補助具１が取り付けられたマスク３０の左右一対の耳掛け部３２を両耳に掛けて、マスク３０を装着する。マスク３０を装着すると、図１０に示すように、使用者の口元の前方には、マスク用補助具１のガード体２が配置される状態となっている。この状態では、ガード体２により、使用者の口元とマスク本体３１との間にすき間が形成されている。このすき間が形成されることにより、使用者の呼吸によりマスク本体３１が使用者の口元に貼り付くことを防止することができる。
【００３９】
また、使用者の呼吸によるマスク本体３１の変形に伴ってガード体２に使用者の顔面に向かって外力が作用することがある。ここで、ガード体２は、第一環状部１１ａおよび第二環状部１１ｂにより第一ガード部４と第二ガード部５との重ね合わせ部において摺動抵抗が生じている。この摺動抵抗に抗して、第一ガード部４と第二ガード部５とを左右方向にスライドさせる必要がある。このため、ガード体２に上記外力が作用しても、容易に第一ガード部４と第二ガード部５の左右方向内向きへのスライドを防止することができる。
【００４０】
図１１に示すように、クリップ３の閉状態の反転ばね部７は使用者の頬Ｈに沿った状態となっている。このため、マスク３０を装着した状態で、マスク本体３１の左右方向両縁部と頬Ｈとのすき間を小さくすることができる。
【００４１】
さらに、この実施形態のマスク用補助具１は、ガード体２の長さを調整することが可能となっている。このため、例えば、図７（ｂ）に示すように、大人用のマスク３０と比較してマスク本体３１の左右方向の長さが小さい子供用のマスク３０にも、取り付けることができる。また、このマスク用補助具１は、マスク３０への使用後に、消毒液などを含ませた布帛等で各部品を拭き取り、使用者が交換した他のマスク３０に再度、使用することができる。
【００４２】
この実施形態のマスク用補助具１は、図１２に示すように、椀状の立体形状となるように不職布を継ぎ合わせた立体マスク４０に使用することができる。立体マスク４０は、使用者の顔の中央位置を上下方向に延びる継ぎ目を介して、マスク本体４１の右半分を構成する右側の不職布シートと、マスク本体４１の左半分を構成する左側の不職布シートとを継ぎ合わせたものである。マスク本体４１の右側および左側の不職布シートには、左右方向外側に耳掛け部４２が一体に形成されている。
【００４３】
この立体マスク４０のマスク本体４１の左右方向両端部にマスク用補助具１のクリップ３を取り付ける。この取り付けは、上述したマスク３０の場合と同様である。マスク用補助具１のガード体２により、使用者の口元と立体マスク４０のマスク本体４１との間にすき間が形成される。このすき間により、使用者の呼吸によってマスク本体４１が使用者の口元に貼り付くことを防止することができる。
【符号の説明】
【００４４】
１  マスク用補助具
２  ガード体
３  クリップ
４  第一ガード部
４ａ  第一規制片部
４ｂ  取り付け孔
５  第二ガード部
５ａ  第二規制片部
５ｂ  取り付け孔
６  芯金
７  反転ばね部
７ａ  外側部分
７ｂ  内側部分
８  受け片部
８ａ  取り付け孔
８ｂ  湾曲部
９  ピン体
１０  受け具
１１  保持部
１１ａ  第一環状部
１１ｂ  第二環状部
３０  マスク
３１  マスク本体
３２  耳掛け部
３３  プリーツ
３４  ノーズワイヤ
４０  立体マスク
４１  マスク本体
４２  耳掛け部
Ｈ  頬
【要約】
【課題】マスク本体の左右方向の長さに応じて調整することができるとともに、マスク本体に対して確実に取り付けることができるマスク用補助具を提供する。
【解決手段】マスク本体３１の内面側に沿って配置されるガード体２と、ガード体２の左右方向両端部に取り付けられるクリップ３とを有し、ガード体２が保型性を有する帯状の第一ガード部４と第二ガード部５とから構成され、第一ガード部４と第二ガード部５との重ね合わせ部をスライド可能に保持する保持部１１が、第一環状部１１ａおよび第二環状部１１ｂとから構成され、第一環状部１１ａは第一ガード部４が内部に固定された状態で、第二ガード部５が挿通されており、第二環状部１１ｂは第二ガード部５が内部に固定された状態で、第一ガード部４が挿通されており、第一環状部１１ａおよび第二環状部１１ｂとで第一ガード部４と第二ガード部５の間に摺動抵抗を付与している。
【選択図】図８【図１】
0006780150.tif 000002
【図２】
0006780150.tif 000003
【図３】
0006780150.tif 000004
【図４】
0006780150.tif 000005
【図５】
0006780150.tif 000006
【図６】
0006780150.tif 000007
【図７】
0006780150.tif 000008
【図８】
0006780150.tif 000009
【図９】
0006780150.tif 000010
【図１０】
0006780150.tif 000011
【図１１】
0006780150.tif 000012
【図１２】
0006780150.tif 000013